(57)【特許請求の範囲】
【請求項１】
左右の支持体で支持された天板の後端部に、人が手を差し込みできる大きさの配線用切り開き部が後ろ向きに開口した状態に形成しており、前記天板の後部下方に、前記左右支持体に固定された左右横長のリアビームが、前記天板の後端部との間に空間を空けた状態で配置されており、前記リアビームに、前記天板のうち切り開き部を挟んだ左右両側部を支持する左右一対の天板支持ブラケットが設けられている構成であって、
前記天板支持ブラケットは、前記リアビームから天板に向けて斜め上向きに延びる傾斜姿勢のアーム部と、前記アーム部の上端に繋がっていて前記天板の下面に重なった受け部とを有しており、前記受け部は、前記天板のうちその後端よりも手前の部位において前記切り開き部を挟んだ左右両側部を支持している、
机。
【請求項２】
前記リアビームのうち前記左右天板支持ブラケットで挟まれた部位に、前記切り開き部から手を差し込んでプラグを抜き差しできる状態でコネクタ類が固定されているコネクタサポートを取付けている、
請求項１に記載した机。
【請求項３】
前記リアビームには前向きに開口した蟻溝が左右方向に長く延びるように形成されており、前記蟻溝に、前記天板支持ブラケットとコネクタサポートとが左右に並べて取付けられており、更に、前記天板支持ブラケットのうち前記蟻溝に入り込む嵌合部は、前記アーム部の左右両側に張り出している、
請求項１又は２に記載した机。
【発明の詳細な説明】
【技術分野】
【０００１】
本願発明は、天板にケーブル類の配線機能（通線機能）を持たせた机に関するものである。
【背景技術】
【０００２】
机では各種の電気・電子機器が使用される。そこで、ケーブル類の配線機能を持たせることが行われている。その例として特許文献１には、天板の後部に、ケーブル類を机上に引き出すための配線空間を後ろ向き開口した状態に形成することが開示されている。
【先行技術文献】
【特許文献】
【０００３】
【特許文献１】特開２００９−１１２６９５号公報
【発明の概要】
【発明が解決しようとする課題】
【０００４】
さて、机上にケーブルを引き出す手段としては、天板に切り開き方式でなく周囲が囲われた通線穴を空けることも行われているが、この場合は、配線作業に際しては一々プラグを通線穴に通さなければならないため、配線作業に手間がかかると共に、ケーブルに大きなコネクタ類が接続されていると通すことができない場合がある。
【０００５】
これに対して、特許文献１のように配線（通線）のための配線空間（開口部）を切り開き形成すると、ケーブルは天板の後ろから手前にずらして配線空間に嵌め入れできるため、配線作業が楽になると共に、ケーブルに大きなコネクタ類が接続されていても支障なく配線（通線）できる利点がある。
【０００６】
しかし、天板を切り開くと、それだけ天板の剛性が低下するという問題がある。特に、木製天板の場合は強度低下が顕著に顕れる。また、切り開き部を人の手が差し込みできる大きさにすると、例えば天板の後部下方に配置したコンセントにプラグを抜き差しできて便利であるが、このように切り開き部を人の手が入る程度の大きさにした場合も、天板の強度低下は顕著に顕れる。そして、天板の強度低下を防止するためには、天板の下面に補強フレームを固定することが考えられるが、この補強対策はコストが嵩むと共に、場合によっては天板の下方の空間にワゴンを押し込むことができなくなるおそれもある。
【０００７】
本願発明は、このような現状を改善することを目的とする。
【課題を解決するための手段】
【０００８】
本願発明者たちは、配線用の空間を切り開きによって形成することの利点は損なうことなく強度の問題を解消すべく、各請求項の発明を成した。
このうち請求項１の発明は、左右の支持体で支持された天板の後端部に、人が手を差し込みできる大きさの配線用切り開き部が後ろ向きに開口した状態に形成しており、前記天板の後部下方に、前記左右支持体に固定された左右横長のリアビームが、前記天板の後端部との間に空間を空けた状態で配置されており、前記リアビームに、前記天板のうち切り開き部を挟んだ左右両側部を支持する左右一対の天板支持ブラケットが設けられている構成であって、
前記天板支持ブラケットは、前記リアビームから天板に向けて斜め上向きに延びる傾斜姿勢のアーム部と、前記アーム部の上端に繋がっていて前記天板の下面に重なった受け部とを有しており、前記受け部は、前記天板のうちその後端よりも手前の部位において前記切り開き部を挟んだ左右両側部を支持している。
【０００９】
請求項２の発明は、請求項１において、前記リアビームのうち前記左右天板支持ブラケットで挟まれた部位に、前記切り開き部から手を差し込んでプラグを抜き差しできる状態でコネクタ類が固定されているコネクタサポートを取付けている。
【００１０】
請求項３の発明は、請求項１又は２において、前記リアビームには前向きに開口した蟻溝が左右方向に長く延びるように形成されており、前記蟻溝に、前記天板支持ブラケットとコネクタサポートとが左右に並べて取付けられており、更に、前記天板支持ブラケットのうち前記蟻溝に入り込む嵌合部は、前記アーム部の左右両側に張り出している。
【発明の効果】
【００１１】
本願発明では、左右の支持体（例えば脚）とリアビームと天板とが一体に連結されているため、全体として堅牢な構造になっている。そして、天板の後部は切り開き部を形成したことで下向き荷重に対する強度が低くなっているが、切り開き部は、机の強度メンバーとして機能するリアビームに取り付けた天板支持ブラケットで下方から支持されているため、切り開き部を形成したことによる天板の支持強度低下を防止できる（むしろ、支持強度をアップできる場合もある。）。
【００１２】
また、リアビームは机の後部に配置されているため、天板の下方の空間にワゴンを収納するにおいて、ワゴンが天板支持ブラケットに当たることも防止できる。従って、机の使い勝手が低減することを防止できる。むしろ、天板支持ブラケットにケーブルの余長部分を巻き掛けるといったことも可能になり、使い勝手を向上できるといえる。
【００１３】
請求項２の構成を採用すると、切り開き部に手を差し込んでプラグをコネクタ類に抜き差しできるため、配線作業の手間を軽減できる利点がある。このように、切り開き部を手を差し込みできる大きさにすると天板の強度低下が顕著に顕れるが、本願発明では、天板支持ブラケットの存在により、天板の支持強度低下を確実に防止できる。
【００１４】
リアビームは様々な構造を採用できるが、請求項３のように蟻溝を設けると、蟻溝を利用した各種の物品の簡単に取り付けることができる利点がある。そして、天板支持ブラケット及びコネクタサポートも蟻溝に取り付けるものであるため、一々ねじ止めするような手間を要することなく、天板支持ブラケット及びコネクタサポートを簡単に取り付けることができる。また、前記天板支持ブラケットの嵌合部はアーム部の左右両側に張り出しているため、天板支持ブラケットはリアビームにしっかりと保持されており、このため、取り付けが容易な天板支持ブラケットでありながら、堅牢性もアップしている。
【００１５】
更に、本願発明では、天板支持ブラケットのうち天板に固定される受け部はリアビームよりも手前に位置しているため、リアビームをできるだけ後ろに配置しつつ天板をサポートできる。従って、実施形態のように、リアビームを天板の後ろにはみ出させることにより、リアビームをバックパネルの取り付けに使用するといったことも簡単に実現できて、リアビームの機能向上にも貢献し得る。
【図面の簡単な説明】
【００１６】
【図１】実施形態に係る机の外観を示す図で、（Ａ）は正面方向からの斜視図、（Ｂ）は分離斜視図である。
【図２】（Ａ）は後ろから見た斜視図、（Ｂ）は後ろからの分離斜視図である。
【図３】（Ａ）は机を内部から見た斜視図、（Ｂ）は側面図、（Ｃ）はケーブル受けを下方から見た斜視図である。
【図４】（Ａ）は配線カバーを下向き開口させた状態での机の後部の斜視図、（Ｂ）は同じく分離斜視図である。
【図５】（Ａ）は配線カバーを上向き開口させた状態での机の後部の斜視図、（Ｂ）は同じく分離斜視図である。
【図６】（Ａ）は配線カバーを上向き開口させた状態での机の後部の斜視図、（Ｂ）は同じく分離斜視図である。
【図７】要部の一部破断分離斜視図である。
【図８】要部の分離斜視図である。
【図９】（Ａ）は図６（Ａ）のIXA-IXA 視断面図、（Ｂ）は図６（Ａ）のIXB-IXB 視断面図である。
【図１０】（Ａ）（Ｂ）は脚とリアビームとの構成部材の分解斜視図、（Ｃ）は脚支柱の平面図である。
【図１１】（Ａ）（Ｂ）とも脚の構成部材の分離斜視図である。
【図１２】（Ａ）（Ｂ）とも脚とリアビームとの部分的な分解斜視図である。
【図１３】（Ａ）（Ｂ）（Ｃ）ともリアビームの連結構造を示す図である。
【図１４】（Ａ）は脚とリアビームとの関係を示す斜視図、（Ｂ）（Ｃ）はリアビームの分解斜視図である。
【発明を実施するための形態】
【００１７】
次に、本願発明の実施形態を図面に基づいて説明する。以下の説明では、方向を特定するため「前後」「左右」の文言を使用するが、これは、机を普通の姿勢で使用する人の向きを基準にしている。従って、机の間口方向が左右方向であり、奥行き方向が前後方向である。前と後ろについては、使用者に近い側を前として、使用者から遠い背面の箇所を後ろと定義している。
【００１８】
(1).机の概略
図１〜３に示すように、机は、平面視四角形（長方形）の天板１と、これを左右両側部において支持する左右の脚２とを有する。天板１は木質系であるが、スチール製のものを使用することも可能である。脚２は、棒状の前後脚支柱３，３′をその上端において水平状の上フレーム４で連結した門型になっており、上フレーム４に前後一対のスペーサ５をボルトで固定し、このスペーサ５に天板１をボルトで固定している。従って、天板１と上フレーム４との間には、ケーブル類を挿通できる程度の間隔が空いている。
【００１９】
スペーサ５の詳細は図３（Ｃ）で示している。スペーサ５は、上フレーム４の上面と内側面とに重なるように正面視逆Ｌ形になっており、かつ、前後対称の形態になっている。そして、矢印５ａ，５ｂで示すように、上方と内側とから挿通したボルトで上フレーム４に固定されると共に、矢印５ｃで示すように、上フレーム４の内側に突出した部分に下方からボルトを挿通し、このボルトで天板１に固定されている。また、スペーサ５には、天板１に設けた穴に嵌まる上向き位置決め突起５ｄと、上フレーム４に設けた穴に嵌まる下向き位置決め突起５ｅとを設けている。このため、天板１と脚２とはスペーサ５を介して正確に位置決めされる。
【００２０】
脚支柱３，３′及び上フレーム４は中空で概ね四角形になっており、これらは、両者に嵌入する側面視Ｌ形のジョイント金具（図１〜３では図示せず、図１１〜１３に表示）を介して一体に連結されている。また、左右脚２における後部脚支柱３の上部間にはリアビーム６が配置されており、リアビーム６と左右の後部脚支柱３とがボルトで固定されている。この場合、天板１の後端は、脚２の後端（後部脚支柱３の後面）より若干手前に位置しており、かつ、リアビーム６は、平面視で前後幅寸法の半分程度が天板１の後ろにはみ出ている。脚２及びリアビーム６の構造や両者の連結構造の詳細は後述する。
【００２１】
天板１の後端部のうち左右中間部には、後ろ向きに開口した平面視四角形の切り開き部７を形成しており、この切り開き部７を配線通路と成している。そして、切り開き部７には、これを塞ぐカバー８を装着している。カバー８は着脱自在である。天板２の後部は、  切り開き部７を形成したことで強度が弱くなるおそれがある。そこで、天板２のうち切開き部７を挟んだ左右両側の部位は、リアビーム６に取り付けた天板支持ブラケット９で下方から支持されている。
【００２２】
また、リアビーム６には、ケーブル受け１０とその上方に位置したコネクタサポート１１とが取り付けられている。ケーブル受け１０は、リアビーム６に左右スライド自在に取り付けられている。リアビーム６に複数のケーブル受け１０を装着することも可能である。
【００２３】
図４，５に示すように、カバー８は浅いトレー状に形成されており、内部には仕切り１２を設けている。切り開き部７の内周にはカバー受け１３を固定しており、カバー受け１３の左右側部には、カバー８の左右側部を支持する支持片１４が形成されている。また、カバー受け１３のうち手前に位置した基部には、ケーブルＣを捌くための突起１５を設けている。このため、カバー８を取り付けた状態で当該カバーの手前には配線通路が空いている。
【００２４】
カバー８の左右両側面に、前後一対ずつの円形の係合凹部１６が形成されている一方、カバー受け１３の左右両側部には、前後対の係合凹部１６が選択的に嵌まる係合凸部１７が形成されている。前後の係合凸部１７に係合凹部１６が選択的に嵌まることでカバー８の前後位置を２段階に変更できる。また、係合凸部１７は、左右方向に撓み変形する舌片１８（図５参照）の先端に形成されており、このため、舌片１８を変形させることにより、カバー８の着脱と前後位置変更とが行われる。
【００２５】
(2).コネクタサポート等の説明
次に、リアビーム６、天板支持ブラケット９、ケーブル受け１０，コネクタサポート１１の詳細を、図７〜９も参照して説明する。図３（Ａ）に示すように、リアビーム６は、後部脚支柱３の上端部でかつ略後半部に連結されている。そして、図７に明瞭に示すように、リアビーム６は、手前に突出した上下の水平片２０ａ，２０ｂを有するチャンネル状の基板２０を有しており、基板２０の前面に側面視凸形の補強板２１を溶接で固着している。そして、リアビーム６は全体として上下に長い中空角形に近い形態になっているため、曲げや軸線回りのねじりに対して強い抵抗を発揮する。
【００２６】
基板２０の上下水平片２０ａ，２０ｂは袋状（中空状）に形成されており、その先端には、それぞれ後ろ向きの折り返し片２０ｃ，２０ｄが形成されている。また、補強板２１は前向き凸部２１ａを有しており、そこで、リアビーム６の内部には、補強板２１の前向き凸部２１ａを挟んだ上下両側に、上蟻溝２２と下蟻溝２３とが形成されている。折り返し片２０ｃ，２０ｄが、蟻溝２２，蟻溝２３に嵌まった部材を前向き抜け不能に保持する係止リップとして機能している。
【００２７】
図７，８に示すように、天板支持ブラケット９は、リアビーム６の上蟻溝２２に嵌まる嵌合部９ａと、天板１の下面にビス（ボルト）２４で固定される受け部９ｂと、これらを繋ぐ傾斜状のアーム部９ｃとを有している。従って、図９に明示するように、受け部９ｂは天板１の後端よりも手前において、天板１のうち切り開き部７の左右両側の部位を支持している。また、天板１の後端部とリアビーム６との間には空間が空いている。
受け部９ｂは、平面視で左右方向の半分が切り開き部７に露出しており、従って、平面視で左右略半分の部位が天板１に固定され、平面視で左右略半分の部位はカバー受け１３に下方から重なっている。受け部９ｂには、ビス２４が貫通する穴が左右一対ずつ空いているが、実際に使用されるのは片側のみである。ビス挿通穴が左右一対ずつ空いているのは、１種類のものを切り開き部７の左右いずれの側にも使用できるようにするためである。
【００２８】
天板支持ブラケット９における嵌合部９ａの背面は、側面視で後ろ向きに膨れた円弧状に形成されている。従って、天板支持ブラケット９を、その前部が高くなるように側面視で傾けた姿勢にすることにより、嵌合部９ａを手前側から上蟻溝２２に嵌め込むことができる。また、天板支持ブラケット９の嵌合部９ａは、アーム部９ｃの左右両側に突出した張り出し部９ｄを有する。従って、嵌合部９ａとアーム部９ｃ部とでＴ型の形態を成している。そして、嵌合部９ａの張り出し部９ｄには、リアビーム６における基板２０の上折り返し片２０ｃに下方から嵌合する係合段部２５が形成されており、このため、天板支持ブラケット９は下向き倒れ不能に保持されている。
【００２９】
図８に明示するように、天板支持ブラケット９における係合段部２５の左右中間部には位置決めリブ２６を設けている一方、リアビーム６の上折り返し片２０ｃには位置決めリブ２６が嵌まる切欠き２７を形成しており、このため、天板支持ブラケット９は左右動不能に保持されている。また、天板支持ブラケット９の嵌合部９ａのうち、アーム部９ｃの後ろに位置した部分は、補強板２１の前向き凸部２１ａに上から重なっているが、アーム部９ｃから左右両側にはみ出た張り出し部９ｄの下面は、補強板２１における前向き凸部２１ａの上面との間に若干の隙間が空くような段盗み部２８になっている。
【００３０】
コネクタサポート１１は板金製品であり（樹脂製でもよい）、左右天板支持ブラケット９のアーム部９ｃの間に配置されている。コネクタサポート１１は、コンセント２９を固定できる本体部１１ａを有しており、本体部１１ａの上端に、リアビーム６の上蟻溝２２に嵌まる左右一対の係合片１１ｂを一体に形成している。係合片１１ｂは、その後端に下向きのストッパー片１１ｃを有する側面視下向き開口コの字形になっており、リアビーム６を構成する補強板２１の前向き凸部２１ａに、ストッパー片１１ｃが嵌まるストッパー穴３０を形成している。このため、コネクタサポート１１は左右動不能に保持されている。
【００３１】
そして、コネクタサポート１１の係合片１１ｂに、天板支持ブラケット９における嵌合部９ａの張り出し部９ｄが上から重なっている。すなわち、天板支持ブラケット９における嵌合部９ａの段盗み部２８が、コネクタサポート１１の係合片１１ｂに上から重なっている。従って、図９（Ｂ）から容易に理解できるように、コネクタサポート１１は上向きに起こし不能に保持されている。
【００３２】
コネクタサポート１１の本体部１１ａは、手前に行くに従って低くなるように傾斜している。また、コネクタサポート１１の下端部には、コンセント（テーブルタップ）を取り付けるための長穴３２が空いている。また、コネクタサポート１１の下端は上向きに曲げている（上向き片を符号１１ｄで示す。）。なお、コネクタサポート１１には、電源用のコンセント２９に限らず、通信用コネクタやルータ、ハブなどの中継機など、各種のコネクタ類を固定できる。
【００３３】
ケーブル受け１０は上向きに開口したトレー状の形態を成しており、その後端には、リアビーム６の下蟻溝２３に嵌まる嵌合部１０ａを設けている。図３（Ｂ）及び図９（Ａ）に示すように、嵌合部１０ａの下面には、リアビーム６の下折り返し片２０ｄに後ろから引っ掛かる係合爪３３を設けている。このため、ケーブル受け１０は、リアビーム６に抜け不能に保持される。なお、ケーブル受け１０には、ケーブルの他にコネクタ等の各種の部材を載置できる。
【００３４】
ケーブル受け１０の係合爪３３は、上下に撓み変形可能な後ろ向きの舌状片３４の後端に設けており、ケーブル受け１０をリアビーム６に向けて強く押し当てると、舌状片３４が弾性変形することで、係合爪３３が下折り返し片２０ｄに係合する。舌状片３４の付け根はリアビーム６の手前に位置しており、このため、舌状片３４を指又はドライバ等で上向きに押し上げることで、係合爪３３を下折り返し片２０ｄから離脱させることができる。
【００３５】
(3).まとめ
以上の構成において、机上で使用する電気・電子機器の電源ケーブルは、切り開き部７から机上に引き出すことができる。また、机上で使用する機器に接続された電源ケーブルＣのプラグ３１は、切り開き部７に手を差し込むことにより、コンセントサポート１１に固定されたコンセント２９に接続できる。従って、ケーブルを綺麗に処理できると共に、配線作業やプラグ３１の抜き差しも容易に行える。
【００３６】
そして、天板１のうち切り開き部７の左右内側部が天板支持ブラケット９で下方から支持されているため、配線作業が容易になるように切り開き部７をできるだけ大きくしても、天板１の支持強度が低下することはない（却って、切り開き部７を形成していない場合より強度アップすることも可能になる。）。なお、天板支持ブラケット９にケーブルＣの余長部分を巻き掛けたり、フック類を天板支持ブラケット９に引っ掛けたりすることも可能である。
【００３７】
本実施形態のように、天板支持ブラケット９に張り出し部９ｄを設けると、リアビーム６による天板支持ブラケット９の支持面積を大きくできるため、天板支持ブラケット９を過度に大きくすることなく天板１の支持強度を向上できる利点がある。また、コネクタサポート１１は、天板支持ブラケット９の張り出し部９ｄで上から押さえ保持されているため、コネクタサポート１１を上向きに回動させることができない。このため、プラグ３１をコンセント２９に抜き差しするに際して、片手でプラグ３１をコンセント２９に抜き差しできる。
【００３８】
本実施形態のように、天板支持ブラケット９の受け部９ａを切り開き部７の内部にも露出させると、天板支持ブラケット９でカバー受け１３も支持され得るため、カバー受け１３の支持強度も向上できる（何らかの理由でカバー８に大きな下向き荷重が掛かっても、カバー受け１３は天板１から外れ落ちることはなく、しっかりと支持される。）。
【００３９】
さて、図９（Ａ）に、リアビーム６は前後幅寸法の半分程度が天板１の後ろにはみ出ており、そこで、一点鎖線で示すように、リアビーム６を使用してバックパネル（机上パネル）Ｐに取り付けることが可能である。つまり、リアビーム６が机の後端に配置することにより、リアビーム６は机の骨組みとしての機能のみでなくバックパネルＰの支持機能も有している。そして、天板支持ブラケット９のアーム部９ｃは、手前に向けて高くなるように傾斜しているため、リアビーム６を机の後端に配置しても天板支持ブラケット９による天板支持機能は確保される。この点、本実施形態の利点の一つである。
【００４０】
(4).脚及びリアビームの補足説明
次に、図１０以下の図面を参照して、脚２の構造とリアビーム６との関係を補足説明する。図１０，１１から理解できるように、脚２を構成する脚支柱３，３′と上フレーム４とは押し出し加工品であって概ね中空角形になっており、これらは、水平部４１ａと垂直部４１ｂとを有するＬ形のジョイント金具４１で互いに連結されている。脚支柱３，３′と上フレーム４との接合面４２，４３は側面視で斜めにカットされており、ジョイント金具４１には、脚支柱３，３′と上フレーム４との接合面４２，４３の間に挟まるフランジ４４を設けている。なお、ジョイント金具４１はアルミダイキャスト品であるが、樹脂の成形品を使用することも可能である。
【００４１】
脚支柱３，３′の内部は、中間仕切り４５により、外空間４６と内空間４７とに区分されており、中間仕切り４５には、平面視で円形に近いセンター溝条４８が形成されている。センター溝条４８は内空間４７に開口している。また、内空間４７のうち中間仕切り４５と反対側の部位には、左右２本のエンド溝条４９が形成されている。エンド溝条４９も円形に近い形態であり、内空間４７に開口している。
【００４２】
他方、ジョイント金具４１の垂直部４ｂは、脚支柱３，３′の外空間４６に嵌まる外足部５０と、脚支柱３，３′の内空間４７に嵌まる内足部５１とで構成されており、内足部５１には、平面視でエンド溝条４９と連通するエンドビス穴５２が上下に開口するように空いており、矢印５３で示すように、エンドビス穴５２に上から挿通したビスをエンド溝条４９にねじ込んでいる。
【００４３】
また、ジョイント金具４１のコーナー部のうち、外足部５０と内足部５１との間の部位には、脚支柱３，３′のセンター溝条４８と連通するセンタービス穴５４を上部に開口するように設けて、矢印５５で示すように、センタービス穴５４に上から挿通したビスをエンド溝条４９にねじ込んでいる。なお、溝条４８，４９にねじ込まれるビスは、いずれも皿ビスを使用している（ソケットボルトも使用できる。）。
【００４４】
他方、図１０（Ｃ）に示すように、上フレーム４は、内部に仕切りがない略中空角形になっており、従って、ジョイント金具４１の水平部４１ａも単純な角柱状の形態である。そして、図１１に矢印５６で示すように、前後両端寄り部に設けた連結用ねじ穴５７に、上フレーム４に下方から挿通したビスがねじ込まれている。また、ジョイント金具４１の水平部４１ａには、既述のスペーサ５（例えば図３）を取り付けるビスがねじ込まれるスペーサ用ねじ穴５８，５９を設けている。従って、スペーサ５と上フレーム４とジョイント金具４１とは、ビスで一体に共締めされている。このため強度に優れている。
【００４５】
なお、スペーサ用ねじ穴５８，５９のうち、ビスが上からねじ込まれる上下貫通のねじ穴５８は左右に一対ずつ形成されており、実際の締結に際しては、左右いずれかの対のみが使用される。これは、スペーサ５の上部が内側に寄っていることを考慮して、１種類のジョイント金具４１を左右いずれの脚支柱３，３′にも使用できるようにするためである。また、前後のジョイント金具４１は同一のものが使用されており、また、前後の脚支柱３，３′も同一形状に製造されている。すなわち、本実施形態では、前後左右の脚支柱３，３′とジョイント金具４１とはそれぞれ同一形状になっていると共に、スペーサ５も同一形状であり、このように部材を共通化することにより、部材管理の手間抑制やコスト低減を図っている。
【００４６】
図１２に示すように、後部脚支柱３の内側面のうちその上端部でかつ後部には、ビーム６を連結するための連結ブロック６１が上下複数本（２本）のボルト６２で固定されている。ボルト６２は後部脚支柱３の内側板を貫通しており、ジョイント金具４１の垂直部４１ｂを構成する外足部５０には、ボルト６２がねじ込まれるねじ穴６３を左右に開口した状態に形成している。このように、連結ブロック６１と後部脚支柱３とジョイント金具４１とがボルト６２で共締めされているため、脚２は堅牢な構造になっている。
【００４７】
また、図１２（Ｂ）のとおり、連結ブロック６１には、後部脚支柱３に向いて突出した上下複数本（２本）の位置決めピン６４を設けている一方、後部脚支柱３の内側板とジョイント金具４１とには、位置決めピン６４が嵌まる位置決め穴６５を設けており、このため、連結ブロック６１と後部脚支柱３とジョイント金具４１とが正確に位置決めされており、延いては、後部脚支柱３とリアビーム６とも正確に位置決めされる。
【００４８】
連結ブロック６１は、リアビーム６における基板２０と上下折り返し部２０ａ，２０ｂとで囲われた中空部（及び、補強板２１の前向き凸部２１ａと基板２０とで囲われた角形空間）に嵌まるように、側面視で上下長手の直方体状に形成されている。そして、連結ブロック６１の外端面を、平面視で後部脚支柱３から離れるに従って後ろに行く傾斜端面６１ａに形成している一方、リアビーム６を構成する基板２０の端部前面には、連結ブロック６１の前面と傾斜端面６１ａとに重なる平面視クランク状のジョイント板６６を溶接で固着し、ジョイント板６６をボルト（ねじ）６７，６８で連結ブロック６１に締結している。
【００４９】
正確に述べると、ジョイント板６６は、連結ブロック６１の前面に重なる前板部６６ａと、連結ブロック６１の傾斜端面６１ａに重なる傾斜部６６ｂと、リアビーム６の基板２０に溶接される後ろ板とを有しており、前板部６６ａと傾斜部６６ｂとが、それぞれ連結ブロック６１に上下２本ずつのボルト６７，６８で締結されている。従って、傾斜部６６ｂを締結するボルト６８は、平面視でリアビーム６の長手方向に対して傾斜している（傾斜角度は４５°程度に設定している。）。このように、ジョイント板６６は、手前方向からのボルト６７と斜め方向からのボルト６８とで連結ブロック６１に固定されているため、リアビーム６を連結ブロック６１にしっかりと固定することができる。
【００５０】
ジョイント板６６は、リアビーム６における基板２０の前面の上下全体に広がる幅寸法に設定されており、しかも、ジョイント板６６は補強板２１における前向き突部２１ａの端部にも溶接されている。このため、リアビーム６の端部がジョイント板６６で補強されており、その結果、高い剛性を発揮する。特に、リアビーム６は、その軸心回りにねじるような外力に対して高い抵抗を発揮する。
【００５１】
図１２（Ａ）や図１４（Ｃ）に示すように、ジョイント板６６がリアビーム６の内部に入り込むことを許容するため、補強板２１の端部は部分的に切欠かれている（この切欠きを符号６９で示している。）。
【００５２】
(5).その他
本願発明は、上記の実施形態の他にも様々に具体化できる。例えば、リアビームや天板支持ブラケットは様々の形態を採用できる。リアビームに押し出し成形品や角形鋼管を採用したり、天板支持ブラケットを金属ダイキャスト製にすることも可能である。天板の切り開き部の形態は角形である必要はなく、例えば半円状や半割り小判形とすることも可能である。天板に複数の切り開き部を形成することも可能である。
【００５３】
また、天板支持ブラケットは必ずしも天板にねじで固定する必要はないのであり、受け部を天板の下面に当接させるだけでもよい。天板を支持する支持体としては、引出し方式又はオープン方式の袖キャビネットを使用することも可能である。脚を使用する場合、Ｌ形の脚や板状の脚など、各種の形態のものを使用できる。
【産業上の利用可能性】
【００５４】
本願発明は、実際に机に具体化できる。従って、産業上、利用できる。
【符号の説明】
【００５５】
１  天板
２  支持体の一例としての脚
３  後部脚支柱
６  リアビーム
７  切り開き部（配線通路）
９  天板支持ブラケット
９ａ  嵌合部
９ｂ  受け部
９ｃ  アーム部
９ｄ  張り出し部
１１  コネクタサポート
２９  コンセント
２０  リアビームの基板
２１  リアビームの補強板
２２  上蟻溝
２３  下蟻溝
３１  プラグ
【図１】
0005876707.tif 000002
【図２】
0005876707.tif 000003
【図３】
0005876707.tif 000004
【図４】
0005876707.tif 000005
【図５】
0005876707.tif 000006
【図６】
0005876707.tif 000007
【図７】
0005876707.tif 000008
【図８】
0005876707.tif 000009
【図９】
0005876707.tif 000010
【図１０】
0005876707.tif 000011
【図１１】
0005876707.tif 000012
【図１２】
0005876707.tif 000013
【図１３】
0005876707.tif 000014
【図１４】
0005876707.tif 000015